(57)【要約】【課題】眼鏡チェーンを、衣服の一部へ簡易に取り付け、或いは取り外しができるようにし、また先端側を眼鏡フレームのつる部分へ簡易に装脱着できるようにして眼鏡着用者に肩こりなどの不快感を与えないようにして使用できる眼鏡チェーンを提供すること。【解決手段】眼鏡チェーンＣをほぼ等しい長さを有する２本の眼鏡チェーン片Ｃ１、Ｃ２から構成し、各眼鏡チェーン片Ｃ１、Ｃ２の基端側に取り付けた固定具１を介して衣服の一部Ｅに装着し、先端側に取り付けた取付具２を介して眼鏡フレームのつる部分Ｆに装着できるようにする。【選択図】図１
0003113292.tif 000002
【実用新案登録請求の範囲】
【請求項１】
眼鏡チェーンをほぼ等しい長さを有する２本の眼鏡チェーン片から構成し、各眼鏡チェーン片の基端側に取り付けた固定具を介して衣服の一部に装着し、先端側に取り付けた取付具を介して眼鏡フレームのつる部分に装着できるようにしたことを特徴とする眼鏡チェーン。
【請求項２】
固定具を、衣服の表裏両側から挟持するようにした固定具本体と、眼鏡チェーンの端部に取り付け、かつ固定具本体と磁力にて固定するようにした補助固定具とよりしたことを特徴とする請求項１記載の眼鏡チェーン。
【請求項３】
固定具本体及び補助固定具のいずれか一方を磁石にて、他方を着磁体にて製作したことを特徴とする請求項１又は２記載の眼鏡チェーン。
【請求項４】
固定具本体を衣服の裏側にあてがい、衣服表側にあてがう補助固定具との磁力線の吸着力を利用して挟持するようにしたことを特徴とする請求項１、２又は３記載の眼鏡チェーン。
【請求項５】
補助固定具と着磁するようにした固定具本体を、衣服の一部にピンを挿通し、その表裏両側から挟持するようにしたピン固定具とその受け部材とからしたことを特徴とする請求項１、２、３又は４記載の眼鏡チェーン。
【請求項６】
補助固定具と着磁するようにした固定具本体を、衣服の一部に粘着剤にて固定するようにしたことを特徴とする請求項１、２、３又は４記載の眼鏡チェーン。
【請求項７】
補助固定具と着磁するようにした固定具本体を、衣服の一部にクリップにて固定するようにしたことを特徴とする請求項１、２、３又は４記載の眼鏡チェーン。
【請求項８】
固定具本体による衣服への固定力が、固定具本体と補助固定具との間の固定力より大きくなるようにしたことを特徴とする請求項２、３、４、５、６又は７記載の眼鏡チェーン。
【請求項９】
取付具を眼鏡フレームのつる部分に挿通して取り付けられる構成としたことを特徴とする請求項１、２、３、４、５、６、７又は８記載の眼鏡チェーン。
【請求項１０】
取付具の近傍位置に磁石を介在して、取付具と眼鏡チェーン片とを離脱可能に構成したことを特徴とする請求項１、２、３、４、５、６、７、８又は９記載の眼鏡チェーン。
【請求項１１】
眼鏡チェーン片を鎖としたことを特徴とする請求項１、２、３、４、５、６、７、８、９又は１０記載の眼鏡チェーン。
【請求項１２】
眼鏡チェーン片を伸縮性を有する紐としたことを特徴とする請求項１、２、３、４、５、６、７、８、９、１０又は１１記載の眼鏡チェーン。
【考案の詳細な説明】
【技術分野】
【０００１】
本考案は、眼鏡チェーンに関し、特に、首に巻き付けることなく、かつ基端側を衣服の一部に簡易に着脱可能にして取り付けられ、着用者に肩こり等の不快感を与えないようにした眼鏡チェーンに関するものである。
【背景技術】
【０００２】
従来、眼鏡、特に限定されるものではないが、例えば、遠近両用眼鏡を除いた老眼鏡の使用においては、読書時やデスクワーク等を行う時にのみ着用され、老眼鏡を使用しない場合は該眼鏡の置き忘れ、紛失を防ぐため眼鏡フレームに１本の眼鏡チェーンを取り付けてループ状とし、この眼鏡チェーンにて老眼鏡を首からぶら下がるようにして使用するようにしている。
【０００３】
ところで、この眼鏡チェーンＣは、１本のチェーンの両端にそれぞれループ状の取付具Ｂ、Ｂを取り付け、この取付具Ｂ、Ｂに左右の眼鏡ＧのフレームのつるＦを挿通するようにして装着している。また、この眼鏡チェーンＣは意匠性を鑑み、金属製の鎖やゴム紐等のように首の回りに容易に沿うような材質を用い、かつデザイン的に美しいものなるようにしている。
【０００４】
しかしながら、従来の眼鏡チェーンＣは、図９に示すように、いずれも眼鏡着用者の首、特に首の後部に沿って首部に巻き付くように、かつ眼鏡ＧのフレームのつるＦに装着した時、ループ状になるように構成されているため、着用者が首を左右に捻るような動作をする場合、この眼鏡チェーンＣは首の捻れ角度によって左右いずれかの方向に引っ張られるようになり、これがため着用者Ｍに必要以上の負荷をかけるようになって肩こり等の不快感が生じるという問題があった。
【考案の開示】
【考案が解決しようとする課題】
【０００５】
本考案は、眼鏡チェーンの有する問題点に鑑み、眼鏡チェーンを、衣服の一部へ簡易に取り付け、或いは取り外しができるようにし、また先端側を眼鏡フレームのつる部分へ簡易に装脱着できるようにして眼鏡着用者に肩こりなどの不快感を与えないようにして使用できる眼鏡チェーンを提供することを目的とする。
【課題を解決するための手段】
【０００６】
上記目的を達成するため、本考案の眼鏡チェーンは、眼鏡チェーンをほぼ等しい長さを有する２本の眼鏡チェーン片から構成し、各眼鏡チェーン片の基端側に取り付けた固定具を介して衣服の一部に装着し、先端側に取り付けた取付具を介して眼鏡フレームのつる部分に装着できるようにしたことを特徴とする。
【０００７】
この場合において、固定具を、衣服の表裏両側から挟持するようにした固定具本体と、眼鏡チェーン片の端部に取り付け、かつ固定具本体と磁力にて固定するようにした補助固定具とより構成することができる。
【０００８】
また、固定具本体及び補助固定具のいずれか一方を磁石にて、他方を着磁体にて製作することができる。
【０００９】
また、固定具本体を衣服の裏側にあてがい、衣服表側にあてがう補助固定具との磁石の吸着力を利用して挟持するように構成することができる。
【００１０】
また、補助固定具と着磁するようにした固定具本体を、衣服の一部にピンを挿通し、その表裏両側から挟持するようにしたピン固定具とその受け部材とから構成することができる。
【００１１】
また、補助固定具と着磁するようにした固定具本体を、衣服の一部に粘着剤にて固定するように構成することができる。
【００１２】
また、補助固定具と着磁するようにした固定具本体を、衣服の一部にクリップにて固定するように構成することができる。
【００１３】
また、固定具本体による衣服への固定力が、固定具本体と補助固定具との間の固定力より大きくなるようにすることができる。
【００１４】
また、取付具を眼鏡フレームのつる部分に挿通して取り付けられる構成とすることができる。
【００１５】
また、取付具の近傍位置に磁石を介在して、取付具と眼鏡チェーン片とを離脱可能に構成することができる。
【００１６】
また、眼鏡チェーン片を鎖とすることができる。
【００１７】
また、眼鏡チェーン片を伸縮性を有する紐とすることができる。
【考案の効果】
【００１８】
本考案の眼鏡チェーンによれば、眼鏡チェーンをほぼ等しい長さを有する２本の眼鏡チェーン片から構成し、各眼鏡チェーン片の基端側に取り付けた固定具を介して衣服の一部に装着し、先端側に取り付けた取付具を介して眼鏡フレームのつる部分に装着できるように構成することにより、眼鏡チェーンを眼鏡着用者の首の後側を巻き付けることがないので、着用者に不快感を与えることがなく、また衣服への装脱着が簡単に行うことができる。
【００１９】
また、衣服の表裏両側から挟持するようにした固定具本体と、眼鏡チェーン片の端部に取り付け、かつ固定具本体と磁力にて固定するようにした補助固定具とより固定具を構成することにより、眼鏡装着時においても簡単に眼鏡チェーンの取り付け、或いは取り外しを行うことができる。
【００２０】
また、固定具本体及び補助固定具のいずれか一方を磁石にて、他方を着磁体にて製作することにより、衣服の衿、前身頃など衣服の任意の位置に、簡単に取り付け、或いは取り外しを行うことができる。
【００２１】
また、固定具本体を衣服の裏側にあてがい、衣服表側にあてがう補助固定具の磁石の吸着力を利用して挟持するように構成することにより、構成が簡単となり、固定具本体と補助固定具とを離間させるだけで固定具本体は衣服から自然に外すことができる。
【００２２】
また、補助固定具と着磁する固定具本体を、衣服の一部にピンを挿通し、その表裏両側から挟持するようにしたピン固定具とその受け部材とから構成することにより、固定具本体の衣服への固定が確固に行え、眼鏡チェーン片を外す場合でも、固定具を衣服側に固定しておくことができ、その紛失を防止することができる。
【００２３】
また、補助固定具と着磁するようにした固定具本体を、衣服の一部に粘着剤にて固定するように構成することにより、構成が簡単となり、かつ簡易に衣服側に固定することができる。
【００２４】
また、補助固定具と着磁するようにした固定具本体を、衣服の一部にクリップにて固定するように構成することにより、衣服側への固定が簡易で、確固に行えると簡単に取り外すこともできる。
【００２５】
また、固定具本体による衣服への固定力が、固定具本体と補助固定具との間の固定力より大きくなるようにすることにより、固定具本体が衣服から離脱して紛失することを防止できる。
【００２６】
また、取付具を眼鏡フレームのつる部分に挿通して取り付けられる構成とすることにより、簡単に、かつ迅速に眼鏡フレームへの取り付け、取り外しが行える。
【００２７】
また、取付具の近傍位置に磁石を介在して、取付具と眼鏡チェーン片とを離脱可能に構成することにより、眼鏡チェーンの装着の自由度を高めることができる。
【００２８】
また、眼鏡チェーン片を鎖とすることにより、ネックレスのように装飾に富んだものとすることができる。
【００２９】
また、眼鏡チェーン片を伸縮性を有する紐とすることにより、首の捻りに応じて眼鏡チェーン片が伸縮することによって追随し、着用者に不快感を与えることがなく、装着することができる。
【考案を実施するための最良の形態】
【００３０】
以下、本考案の眼鏡チェーンの実施の形態を、図面に基づいて説明する。
【実施例１】
【００３１】
図１〜図２に、本考案の眼鏡チェーンの第１実施例を示す。
本考案の眼鏡チェーンＣは、それぞれほぼ等しい長さを有するよう２本の眼鏡チェーン片Ｃ１、Ｃ２から構成し、この２本の眼鏡チェーン片Ｃ１、Ｃ２の和を、特に限定されるものではないが、従来の１本の眼鏡チェーンの長さとほぼ等しい長さとなるように設定するとともに、この各眼鏡チェーン片Ｃ１、Ｃ２の基端側にそれぞれ固定具１を取り付け、また先端側にはそれぞれ取付具２を取り付けるようにし、これにより左右の眼鏡チェーン片Ｃ１、Ｃ２を同じか或いはほぼ同じように構成する。
【００３２】
この眼鏡チェーン片Ｃ１、Ｃ２のチェーンの部分には、特に限定されるものではないが、例えば、従来と同じように、ネックレスなどに採用される金属製の鎖のほか、紐（ゴム紐のように伸縮性に富むものを含む）等のように首の回りに容易に沿う材質のものを採用することができる。
チェーンを採用する場合、金、白金、銀などの貴金属のほかに、金属メッキを施した美しい外観を備えるようにし、またゴム紐を採用する場合はゴム紐の外周面を着色を施した外皮で覆うようにすることもできる。
【００３３】
そして、この眼鏡チェーン片Ｃ１、Ｃ２の基端側に取り付ける固定具１は、衣服の表裏両側から挟持するようにした２つの固定具本体１１、１２と、眼鏡チェーン片Ｃ１、Ｃ２の端部に取り付け、かつ前記固定具本体１１、１２と磁力にて互いに吸着固定するようにした補助固定具１３とより構成し、これにより、衣服の衿Ｅの端部、或いは前身頃Ｄの裏側と表側にそれぞれ固定具本体１１と、固定具本体１２とを互いに対向するように配設することで、磁石の吸着力にて衿端、或いは前身頃を挟むようにして装着固定されるようにする。
なお、この場合、２つの固定具本体１１、１２をそれぞれ磁石片より構成するが、これは特に限定されるものではなく、例えば、一方を磁石片、他方を磁性体製とすることもできる。
【００３４】
この補助固定具１３の眼鏡チェーン片Ｃ１、Ｃ２端部への取り付けは、特に限定されるものではないが、例えば、図示の実施例のように、取付金具１４をかしめて固定し、この取付金具１４と補助固定具１３とをリング１５を介して連結するようすることができる。これにより補助固定具１３は、リング１５、取付金具１４を介して眼鏡チェーン片Ｃ１、Ｃ２に対して旋回可能に取り付けられる。
また、眼鏡チェーン片Ｃ１、Ｃ２の端部に直接補助固定具１３を取り付けるようにすることも可能である。
【００３５】
このように固定具１を、それぞれ磁力にて互いに吸着し合うようにした固定具本体１１、１２と補助固定具１３の３片に分割して構成することで、衣服への眼鏡チェーン片Ｃ１、Ｃ２の取り付け、或いは取り外しを簡易に、迅速に行うことができる。
なお、この３片、固定具本体１１、１２と補助固定具１３とよりなる固定具１は、特に限定されるものではなく、互いに磁力にて強力に吸着し合うようにすればすべてを磁石片とする必要がない。例えば、固定具本体１２を強力な磁石片で構成すれば、他の２つの固定具本体１１と補助固定具１３とを鉄等の磁性体性金属にて形成することもできる。
また、２つの固定具本体１１、１２の形状は、図示の実施例では２つとも同じ円盤形としたが、異形状とすることも可能である。
これにより、構成が簡易となり、かつ眼鏡装着時においても簡単に眼鏡チェーン片Ｃ１、Ｃ２の取り付け、或いは取り外しを行うことができるようになる。
【００３６】
この場合、固定具本体１１、１２による衣服への固定力が、固定具本体１１、１２と補助固定具１３との間の固定力より大きくなるようにすることが好ましい。
これにより、固定具本体１１、１２が衣服から離脱して紛失することを防止できる。
【００３７】
さらに、この衣服表裏両面から挟持するようにした２つの固定具本体１１、１２を、図３に示す変形実施例のように、１つの固定具本体１１のみを使用して補助固定具１３と互いに吸着固定するようにすることも可能である。この場合は、互いに吸着する固定具本体１１と補助固定具１３との間にて衣服の一部を挟持するが、この固定具本体１１と補助固定具１３とを離間させる場合には固定具本体１１は衣服から自然と外れるものとなる。
【００３８】
取付具２は、眼鏡のつる部分に取り付けられるようにするもので、特に限定されるものではないが、例えば、図示の実施例のように、ループ状の取付具本体２１をゴム紐、軟質合成樹脂等の伸縮性のある材質にて製作し、このループ状の取付具本体２１を固定片２２を介して眼鏡チェーン片Ｃ１、Ｃ２の端部に固定する。
また、このループ状の取付具本体２１を扁平状とした中央部に固定環２３を嵌めることがある。この場合、固定環２３を扁平取付具本体２１の長手方向に沿って移動させることで取付具２を眼鏡のつる部に挿通固定できるようにすることもできる。
さらには、眼鏡チェーン片Ｃ１、Ｃ２の端部に、ゴム紐、軟質合成樹脂等の伸縮性のある材質にて製作したリング状取付具（図示省略）を直接取り付け、このリング状取付具の伸縮性を利用して該リング状取付具内にフレームを挿通して取り付けるようにすることもできる。
【００３９】
また、図４に示す変形実施例のように、取付具２の近傍位置に磁石片３１、３２（この場合、一方を磁性体で構成することもできる。）からなる磁石３を介在して、取付具２と眼鏡チェーン片Ｃ１、Ｃ２とを離脱可能に構成することもできる。
これにより、眼鏡チェーンの装着の自由度を高めることができる。
【００４０】
次に、この眼鏡チェーンの作用について説明する。
この眼鏡チェーンＣを装着するには、図８（Ａ）に示すように衣服の衿Ｅの端部に、或いは図８（Ｂ）に示すように前身頃Ｄの裏側に一方の固定具本体１１を沿わせつつ、他方の固定具本体１２を衿Ｅ或いは前身頃Ｄの表側に沿わせる。このとき、両固定具本体１１、１２を互いに対向するようにすれば、互いの吸着力にて衿Ｅ或いは前身頃Ｄを挟むようにして固定される。この吸着力は固定具本体１１、１２の磁力の強度により設定されるが、この両固定具本体１１、１２による吸着にて妄りに外れないようにして設定するものとする。
【００４１】
そして、この衣服の一部を挟むようにして取り付けられた固定具本体１１、１２に、眼鏡チェーン片Ｃ１、Ｃ２側に取り付けられた補助固定具１３を吸着固定する。これにより衣服の衿Ｅ或いは前身頃Ｄに、左右対称に２本の眼鏡チェーン片Ｃ１、Ｃ２がそれぞれ取り付けられる。
この各眼鏡チェーン片Ｃ１、Ｃ２の先端側に取り付けられた取付具２のループ内に眼鏡のつるＦを挿通して眼鏡Ｇを取り付ける。この際、取付具本体２１に固定環２３を嵌めている場合、つるＦを取付具２内に挿通した後、固定環２３をつるＦ側に摺動移動させることでループ状の取付具２にて締め付けられるようになって固定され、これにより眼鏡Ｇは眼鏡チェーン片Ｃ１、Ｃ２に取り付けられる。
【００４２】
なお、この眼鏡の取り付け順序は、まず、眼鏡ＧのフレームのつるＦを取付具２内に挿通して眼鏡Ｇに眼鏡チェーン片Ｃ１、Ｃ２を取り付けた後、衿Ｅ或いは前身頃Ｄを挟むようにして固定された固定具本体１１、１２に、該眼鏡チェーン片Ｃ１、Ｃ２の先端の補助固定具１３を吸着固定するようにすることも可能で、この取り付け順序は特に限定されるものではない。
【００４３】
このようにして、２本の眼鏡チェーン片Ｃ１、Ｃ２は、眼鏡装着者の首にぶら下がるようにして眼鏡を吊垂支持していないので、眼鏡装着者に肩こりなどの不快感を与えることなく、眼鏡を支持することができる。
【実施例２】
【００４４】
図５に、本考案の眼鏡チェーンの第２実施例を示す。
この実施例においては眼鏡チェーン片Ｃ１、Ｃ２の端部に取り付ける固定具１を、衣服の表側にあてがい、かつ衣服を突き刺すようにしたピン１２ｐを突設した固定具本体１２ａと、衣服の裏側にあてがい、かつ前記衣服を突き刺したピン１２ｐの先端部分を挟持するようにした受け部材１１ａとから構成する。
そして、この受け部材１１ａは、ネクタイピンの固定方式と同じように、ピン１２ｐの先端部を挟持或いは挟持解除できるよう構成するものであればその構成は限定されるものではなく、さらにその材質は特に限定されるものではなく、磁性体、非磁性体のいずれにても製作することができるが、他方の固定具本体１２ａは、磁石或いは磁性体製とし、補助固定具１３と互いに吸着固定できるようにする。
なお、図５は、この受け部材１１ａと固定具本体１２ａとにより、衣服に装着する際の順序を示している。
このようにネクタイピン式固定方式にて固定具１を固定するようにすることで、衣服の任意位置に妄りに外れることなく確固に固定することができ、また眼鏡チェーン片Ｃ１、Ｃ２ごと眼鏡を外す場合でも、固定具１を衣服側に固定しておくことができ、固定具１の紛失を防止できる。
【実施例３】
【００４５】
図６に、本考案の眼鏡チェーンの第３実施例を示す。
この実施例における固定具１Ａは、衣服の表側にあてがい、かつ粘着剤にて固定するようにするもので、これは特に限定されるものではなく、例えば、図示のように磁石或いは磁性体製の固定具１Ａの片面に、両面粘着テープ１ａを貼着するか、或いは複数回接脱着可能な粘着剤を塗布するように構成する。
これにより、構成が簡単となり、かつ簡易に衣服側に固定でき、眼鏡チェーン片Ｃ１、Ｃ２側に固定された補助固定具１３と吸着固定できるようにする。
【実施例４】
【００４６】
図７に、本考案の眼鏡チェーンの第４実施例を示す。
この実施例における固定具本体１１Ｂは、固定具本体１１Ｂに備えたクリップ或いは安全ピンにより、固定具本体１１Ｂを衣服の表側にあてがい、かつクリップ或いは安全ピンにて衣服側に固定し、これに磁石の固定具本体１１Ｃを吸着するようにする。
これにより、衣服側への固定が簡易で、確固に行えると簡単に取り外すこともできる。
【００４７】
以上、本考案の眼鏡チェーンについて、複数の実施例に基づいて説明したが、本考案は上記実施例に記載した構成に限定されるものではなく、各実施例の構成を組み合わせたり、或いはその趣旨を逸脱しない範囲において適宜その構成を変更することができるものである。
なお、本考案の名称等で用いている「（眼鏡）チェーン」の語は、その用途を明らかにするために付したものにすぎず、本明細書において、「チェーン」の概念には、金属製の鎖のほか、紐（ゴム紐のように伸縮性に富むものを含む）等のように首の回りに容易に沿う材質のものを含み、本考案はこれを排除しないものである。
【産業上の利用可能性】
【００４８】
本考案の眼鏡チェーンは、２本の眼鏡チェーン片をそれぞれ眼鏡のつるに取り付け、この各眼鏡チェーン片の基端側を衣服の一部に磁石にて挟持するようにして取り付けるという特性を有していることから、着用者に不快感を与えない眼鏡チェーンの用途に好適に用いることができるほか、例えば、ネームカード等を装着する用途にも用いることができる。
【図面の簡単な説明】
【００４９】
【図１】本考案の眼鏡チェーンの第１実施例を示す説明図である。
【図２】固定具にて衣服に装着した状態を示す断面図である。
【図３】本考案の眼鏡チェーンの第１実施例の第１変形例を示す説明図である。
【図４】本考案の眼鏡チェーンの第１実施例の第２変形例を示す説明図である。
【図５】本考案の眼鏡チェーンの第２実施例を示す説明図である。
【図６】本考案の眼鏡チェーンの第３実施例を示す説明図である。
【図７】本考案の眼鏡チェーンの第４実施例を示す説明図である。
【図８】使用状態を示す説明図で、（Ａ）は衣服の衿に装着した場合を、（Ｂ）は前身頃に装着した場合を示す。
【図９】従来の眼鏡チェーンの使用状態を示す説明図である。
【符号の説明】
【００５０】
Ｇ    眼鏡
Ｆ    つる
Ｃ    眼鏡チェーン
Ｃ１  眼鏡チェーン片
Ｃ２  眼鏡チェーン片
１    固定具
１Ａ  固定具
１ａ  両面粘着テープ
１１  固定具本体
１１ａ  受け部材
１２  固定具本体
１２ａ  固定具本体
１２ｐ  ピン
１３  補助固定具
１４  取付金具
１５  リング
２    取付具
２１  取付具本体
２２  固定片
２３  固定環
３    磁石
３１  磁石片
３２  磁石片
【図１】
0003113292.tif 000003
【図２】
0003113292.tif 000004
【図３】
0003113292.tif 000005
【図４】
0003113292.tif 000006
【図５】
0003113292.tif 000007
【図６】
0003113292.tif 000008
【図７】
0003113292.tif 000009
【図８】
0003113292.tif 000010
【図９】
0003113292.tif 000011